(57)【要約】【課題】２枚のスノコの合せ目で下方へ掛かる荷重を支持し、かつ、ベッドの枠体の横方向への変形を防ぐベッドのスノコ支持構造を提供することを目的とする。【解決手段】ベッド床面３を形成するために前後に配設された前スノコ床板３Ａと後スノコ床板３Ｂの合せ目１２を支持するスノコ支持構造に於て、スノコ床板３Ａ，３Ｂを裏面３０側にて着脱自在に連結する２枚の連結板片４，４と、ベッドの左右の縦桁１４，１４  を連結すると共に、連結板片４，４を下方から当接状に支持する横架棒状体８を備えている。【選択図】  図８
2004154203.tif 000002
【特許請求の範囲】
【請求項１】
ベッド床面  （３）  を形成するために前後に配設された前スノコ床板（３Ａ）と後スノコ床板（３Ｂ）の合せ目（１２）を支持するスノコ支持構造に於て、上記スノコ床板（３Ａ）  （３Ｂ）を裏面  （３０）  側にて着脱自在に連結する少なくとも２枚の連結板片（４）  （４）と、ベッド（１）の左右の縦桁（１４）  （１４）を連結すると共に、上記連結板片（４）  （４）を下方から当接状に支持する横架棒状体（８）とを、備えたことを特徴とするベッドのスノコ支持構造。
【請求項２】
上記縦桁（１４）はその長手方向中央に係止孔部（２１）を上方開口状に有し、かつ、上記横架棒状体（８）は上記係止孔部（２１）に上方から差込まれる係止片部（２２）を両端に有する請求項１記載のベッドのスノコ支持構造。
【発明の詳細な説明】
【０００１】
【発明の属する技術分野】
本発明は、ベッドのスノコ支持構造に関する。
【０００２】
【従来の技術】
従来のベッドのスノコ支持構造として、ベッドの枠体内面に設けた段部に複数のスノコを載支し、スノコの外周を枠体にて保持するものであって、各スノコの合せ目において一方のスノコの下面から他方のスノコの下面へ突出した突片を複数設けて、互いに嵌合して連結するものが知られている（例えば、特許文献１参照）。
【０００３】
【特許文献１】
特開２００１−２５８６８４号公報
【０００４】
【発明が解決しようとする課題】
この従来のベッドのスノコ支持構造は、複数枚のスノコは夫々が、連結するための突片を有しており、製作が面倒であって、収納・運搬の際に邪魔となることがある。
【０００５】
そこで、本発明の目的は、２枚のスノコの合せ目で下方へ掛かる荷重を簡易な構造にて、確実に支持し、かつ、スノコの製作が容易な構造を提供することにある。
【０００６】
【課題を解決するための手段】
上述の目的を達成するために、本発明に係るベッドのスノコ支持構造は、ベッド床面を形成するために前後に配設された前スノコ床板と後スノコ床板の合せ目を支持するスノコ支持構造に於て、上記スノコ床板を裏面側にて着脱自在に連結する少なくとも２枚の連結板片と、ベッドの左右の縦桁を連結すると共に、上記連結板片を下方から当接状に支持する横架棒状体とを、備えている。
【０００７】
また、上記縦桁はその長手方向中央に係止孔部を上方開口状に有し、かつ、上記横架棒状体は上記係止孔部に上方から差込まれる係止片部を両端に有している。
【０００８】
【発明の実施の形態】
以下、実施の形態の示す図面に基づき、本発明を詳説する。
【０００９】
図１は本発明のベッドのスノコ支持構造を有するベッド１の側面図であり、図２は平面図である。この図１と図２に示す如く、このベッド１は、同じ高さの支柱１１と、その４本の支柱１１に水平に連結状に配設された枠体９と、同じく４本の支柱１１に水平に連結状に配設され、ベッド床面３を載支する縦桁１４・横桁１７と、その縦桁１４・横桁１７内面に、ベッド床面３を形成するために前後に配設された前スノコ床板３Ａと後スノコ床板３Ｂと、から成る。このベッド１は、図例のように上段，下段から成る２段ベッドとしてもよい。
【００１０】
前スノコ床板３Ａと後スノコ床板３Ｂは、夫々、複数枚の定尺帯板状のスノコ板２を、裏面３０側から、数本のスノコ床板補強５で、連結されたものである。この前スノコ床板３Ａと後スノコ床板３Ｂが、並設され、その裏面３０側にて、少なくとも２枚の連結板片４，  ４で、着脱自在に固着されて、ベッド床面３を構成する。着脱自在にするために、連結板片４の連結孔１８と、ベッド床面３の連結孔２３に、ボルト・ナット結合等の連結部材１３で連結するとよい。よって、連結板片４の一方の連結部材１３のみを離脱して、または、両方の連結部材１３を離脱して、連結板片４，  ４を取り外せば、ベッド床面３は、前スノコ床板３Ａと後スノコ床板３Ｂとに分解できる。
【００１１】
スノコ板２、スノコ床板補強５、連結板片４，  ４の材質は、強度のある木製が好ましいが、鋼鉄製の材質でもよい。なお、ベッド床面３は、スノコ床板３Ａ，３Ｂで構成されるに限らず、強度を持つ２枚の平板から構成されるのもよい。
【００１２】
横架棒状体８は、ベッド床面３の裏面３０側に連結する連結板片４，  ４を下方から当接状に支持して、左右の縦桁１４，  １４に横架され、さらにベッド床面３が、縦桁１４・横桁１７に載支される。横架棒状体８は、強度のある鋼鉄製の、かつ図例のような一部円形パイプ形状棒体が好ましいが、一部多角形状棒体でもよい。
【００１３】
図３は図２の▲３▼−▲３▼断面分解図であり、図４は図２の▲４▼−▲４▼断面分解図である。この図３と図４に示す如く、左右の縦桁１４，  １４は、縦桁本体６，  ６と、その縦桁本体６，  ６の内側にねじ等で付設される縦桁補助部材７，  ７と、から成っていて、この縦桁補助部材７，  ７は、その長手方向中央に係止孔部２１を上方開口状に有している。ここで、縦桁１４は、図３・図４のような段差部２０を有するように、縦桁本体６と縦桁補助部材７を一体とした部材であってもよい。
【００１４】
また、横架棒状体８は、上記係止孔部２１に上方から差込まれる係止片部２２を、両端に有しているので、左右の縦桁１４，  １４は、横架棒状体８の長手方向の長さと同間隔を保持され、ベッド１の枠体が、横方向へ変形するのを防ぐことができ、製作が容易にできる。
【００１５】
図５は横架棒状体８の平面図であり、図６は縦桁補助部材７の平面図で、図７はその側面図である。縦桁補助部材７は、横架棒状体８の両端部の厚みＴ以上の深さの係止窪部１９を配設するので、横架棒状体８を縦桁補助部材７へ差込んでも、縦桁補助部材７上面は水平平坦面一となるため、載支されるベッド床面３は傾かず、水平に保持できる。なお、横架棒状体８の両端部を、縦桁補助部材７，  ７の係止窪部１９に、ねじ等で螺着するのもよい。
【００１６】
ここで、図１のように、横桁１７は、横桁本体１５と、その横桁本体１５の内側にねじ等で、縦桁補助部材７と同じ高さに付設される横桁補助部材１６と、から成り、ベッド床面３の裏面３０で、スノコ床板補強５が、左右の縦桁１４，  １４及び前後横桁１７，１７に載支される。
【００１７】
このとき、図２のＡ−Ａ断面図である図８でみると、ベッド床面３の裏面３０側の連結板片４，  ４が、横架棒状体８上に載支され、ベッド床面３の荷重が、横架棒状体８に掛かるので、横架棒状体８は、一層左右の縦桁１４，  １４の係止孔部２１，２１から抜け出ない構造である。
【００１８】
また、連結板片４，４の下方に当接状に支持する横架棒状体８は、前スノコ床板３Ａと後スノコ床板３Ｂの合せ目１２に沿って付設される。よって、１本の横架棒状体８と、連結板片４，４という、少ない部材で、しかも容易に製作できる構造で、この合せ目１２で下方へ掛かる荷重を支持できるので、前スノコ床板３Ａと後スノコ床板３Ｂが下方へ折れ曲がるのを防ぐことができる。
【００１９】
【発明の効果】
本発明は、上述の構成により次のような著大な効果を奏する。
（請求項１によれば、）ベッド床面３を形成するスノコ床板３Ａ，３Ｂを、その裏面３０側にて着脱自在に少なくとも２枚の連結板片４，４で連結し、ベッド１の左右の縦桁１４，  １４を連結する横架棒状体８で、その連結板片４，４を下方から当接状に支持する構造であり、製作が容易である。そして、前スノコ床板３Ａと後スノコ床板３Ｂが下方へ折れ曲がるのを防ぐことができ、しかも、スノコ床板３Ａ，３Ｂは余分な突片を付設しないので、分解して持ち運ぶにも便利である。
【００２０】
（請求項２によれば、）縦桁１４はその長手方向中央に係止孔部２１を上方開口状に有し、かつ、上記横架棒状体８は上記係止孔部２１に上方から差込まれる係止片部２２を両端に有するため、左右の縦桁１４，  １４は、横架棒状体８の長手方向の長さと同間隔を保持され、ベッド１の枠体の横方向への変形を防ぐことができる。
【図面の簡単な説明】
【図１】本発明のベッドのスノコ支持構造を有するベッドの側面図である。
【図２】平面図である。
【図３】図２の▲３▼−▲３▼断面分解図である。
【図４】図２の▲４▼−▲４▼断面分解図である。
【図５】本発明のベッドのスノコ支持構造を構成する横架棒状体の平面図である。
【図６】本発明のベッドのスノコ支持構造を構成する縦桁補助部材の平面図である。
【図７】縦桁補助部材の側面図である。
【図８】図２のＡ−Ａ断面図である。
【符号の説明】
１    ベッド
３    ベッド床面
３Ａ  前スノコ床板
３Ｂ  後スノコ床板
４    連結板片
７    縦桁補助部材
８    横架棒状体
１２        合せ目
１４        縦桁
１９        係止窪部
２１        係止孔部
２２        係止片部
３０        裏面
Ｔ    厚み
【図１】
2004154203.tif 000003
【図２】
2004154203.tif 000004
【図３】
2004154203.tif 000005
【図４】
2004154203.tif 000006
【図５】
2004154203.tif 000007
【図６】
2004154203.tif 000008
【図７】
2004154203.tif 000009
【図８】
2004154203.tif 000010